(57)【要約】  濾過フィルタ上に残った濾過対象物をより容易に観察することができる濾過フィルタデバイスを提供する。本発明に係る濾過フィルタデバイスは、流体に含まれる濾過対象物を濾過する濾過フィルタと、前記濾過フィルタの外周部を保持する保持部材と、流体の流路となる中空部分が前記濾過フィルタの主面の少なくとも一部と対向するように、保持部材に取り付けられた筒状部材とを備える。筒状部材は、保持部材に対して着脱自在に取り付けられている。
2017191768.tif 000002
【特許請求の範囲】
【請求項１】
流体に含まれる濾過対象物を濾過する濾過フィルタと、
前記濾過フィルタの外周部を保持する保持部材と、
前記流体の流路となる中空部分が前記濾過フィルタの主面の少なくとも一部と対向するように、前記保持部材に取り付けられた筒状部材と、
を備え、
前記筒状部材は、前記保持部材に対して着脱自在に取り付けられている、
濾過フィルタデバイス。
【請求項２】
前記濾過フィルタは、金属製多孔膜を備える、請求項１に記載の濾過フィルタデバイス。
【請求項３】
前記保持部材は、前記濾過フィルタの外周部をそれらの間で挟持可能な第１枠部材及び第２枠部材を備える、請求項１又は２に記載の濾過フィルタデバイス。
【請求項４】
前記濾過フィルタは、前記保持部材の厚み方向の中心面に対して当該厚み方向にずれた位置で前記外周部を前記第１枠部材と前記第２枠部材とに挟持されている、請求項３に記載の濾過フィルタデバイス。
【請求項５】
前記保持部材は、一方又は他方の主面に前記厚み方向に突出する環状の突出部を備え、
前記濾過フィルタは、前記突出部の内側に配置されている、請求項４に記載の濾過フィルタデバイス。
【請求項６】
前記濾過フィルタは、前記環状の突出部の先端部で画定される開口面に対して面一又は略面一になるように配置されている、請求項５に記載の濾過フィルタデバイス。
【請求項７】
前記濾過フィルタの外周部は、第１曲げ部と第２曲げ部とを有するとともに、前記第１曲げ部と前記第２曲げ部との間に筋状凸部を有するように前記第１枠部材と前記第２枠部材とに保持されている、請求項３〜６のいずれか１つに記載の濾過フィルタデバイス。
【請求項８】
前記筋状凸部は、前記第１曲げ部と前記第２曲げ部との間に複数設けられ、
複数の前記筋状凸部は、不規則な向きに配置されている、請求項７に記載の濾過フィルタデバイス。
【請求項９】
前記筒状部材は、前記保持部材の一方の主面側及び他方の主面側の両方に着脱自在に取り付けられている、請求項１〜８のいずれか１つに記載の濾過フィルタデバイス。
【請求項１０】
前記筒状部材は、ルアーロック型コネクタを備える、請求項１〜９のいずれか１つに記載の濾過フィルタデバイス。
【請求項１１】
前記濾過フィルタデバイスは、互いに着脱自在に取り付けられた複数の前記保持部材を備える、請求項１〜１０のいずれか１つに記載の濾過フィルタデバイス。
【請求項１２】
前記保持部材は、少なくとも３つ以上の枠部材を備え、
前記少なくとも３つ以上の枠部材は、互いに隣接する枠部材同士の間で前記濾過フィルタの外周部を挟持可能に構成されている、請求項１〜１１のいずれか１つに記載の濾過フィルタデバイス。
【請求項１３】
前記筒状部材は、雌ねじを備え、
前記保持部材は、雄ねじを備え、
前記雌ねじと前記雄ねじとが螺合することにより、前記筒状部材が前記保持部材に対して着脱自在に取り付けられる、請求項１〜１２のいずれか１つに記載の濾過フィルタデバイス。
【請求項１４】
前記筒状部材は、前記保持部材の一方の主面側及び他方の主面側の両方に着脱自在に取り付けられ、
前記保持部材の一方の主面側に取り付けられる筒状部材と前記保持部材の他方の主面側に取り付けられる筒状部材とは、互いに反対方向に回転されることにより、それぞれの前記雌ねじが前記保持部材の一方の主面側に設けられた雄ねじ又は前記保持部材の一方の主面側に設けられた雄ねじと螺合し、前記保持部材に取り付けられる、請求項１３に記載の濾過フィルタデバイス。
【請求項１５】
前記雌ねじ又は前記雄ねじの螺合方向の長さとｔとし、前記雌ねじ又は前記雄ねじのピッチをＰとしたとき、ｔ／Ｐ≧１を満たす、請求項１３又は１４に記載の濾過フィルタデバイス。
【請求項１６】
前記雌ねじ部又は前記雄ねじ部の螺合方向の長さとｔとし、前記雌ねじ部又は前記雄ねじ部のピッチをＰとしたとき、ｔ／Ｐ≧２を満たす、請求項１３又は１４に記載の濾過フィルタデバイス。
【請求項１７】
前記雌ねじ又は前記雄ねじのピッチが０．３ｍｍ以上である、請求項１３〜１６のいずれか１つに記載の濾過フィルタデバイス。
【請求項１８】
前記雌ねじ又は前記雄ねじの螺合方向の長さが４．０ｍｍ以下である、請求項１７に記載の濾過フィルタデバイス。
【発明の詳細な説明】
【技術分野】
【０００１】
本発明は、流体に含まれる濾過対象物を濾過する濾過フィルタデバイスに関する。
【背景技術】
【０００２】
従来、この種の濾過フィルタデバイスとして、例えば、特許文献１（例えば、特開２００７−３０４０１６号参照）に記載されたものが知られている。【０００３】
特許文献１の濾過フィルタデバイスは、流体に含まれる濾過対象物を濾過する濾過フィルタと、当該濾過フィルタが配置される内部空間を有するハウジング部材とを備えている。ハウジング部材には、流体を内部空間に流入させる流入側突出部と、濾過フィルタを通過した流体を内部空間から排出させる排出側突出部とが設けられている。
【先行技術文献】
【特許文献】
【０００４】
【特許文献１】特開２００７−３０４０１６号
【発明の概要】
【発明が解決しようとする課題】
【０００５】
しかしながら、特許文献１のような従来の濾過フィルタデバイスは、濾過フィルタ上に残った濾過対象物を観察するという観点において、未だ改善の余地がある。【０００６】
本発明の目的は、前記課題を解決することにあって、濾過フィルタ上に残った濾過対象物をより容易に観察することができる濾過フィルタデバイスを提供することにある。
【課題を解決するための手段】
【０００７】
前記目的を達成するために、本発明の一態様に係る濾過フィルタデバイスは、
流体に含まれる濾過対象物を濾過する濾過フィルタと、
前記濾過フィルタの外周部を保持する保持部材と、
前記流体の流路となる中空部分が前記濾過フィルタの主面の少なくとも一部と対向するように、前記保持部材に取り付けられた筒状部材と、
を備え、
前記筒状部材は、前記保持部材に対して着脱自在に取り付けられている、
ことを特徴とする。
【発明の効果】
【０００８】
本発明に係る濾過フィルタデバイスによれば、濾過フィルタ上に残った濾過対象物をより容易に観察することができる。
【図面の簡単な説明】
【０００９】
【図１】本発明の実施の形態１に係る濾過フィルタデバイスの概略構成を示す側面図である。
【図２】図１の濾過フィルタデバイスの一部分解斜視図である。
【図３】図１の濾過フィルタデバイスの分解断面図である。
【図４】図１の濾過フィルタデバイスの組立断面図である。
【図５】図４の一部拡大断面図である。
【図６】濾過フィルタの概略構成を示す一部拡大斜視図である。
【図７】濾過フィルタの変形例を模式的に示す平面図である。
【図８】本発明の実施の形態２に係る濾過フィルタデバイスの概略構成を示す側面図である。
【図９】図８の濾過フィルタデバイスの一部分解斜視図である。
【図１０】本発明の実施の形態３に係る濾過フィルタデバイスの概略構成を示す側面図である。
【図１１】図１０の濾過フィルタデバイスが備える保持部材の斜視図である。
【図１２】図１１の保持部材の分解断面図である。
【発明を実施するための形態】
【００１０】
（本発明の基礎となった知見）
本発明者らは、濾過フィルタ上に残った濾過対象物をより容易に観察するために鋭意検討した結果、以下の知見を得た。
【００１１】
従来の濾過フィルタデバイスにおいては、濾過フィルタがハウジング部材の内部空間に配置されているので、流入側突出部及び排出側突出部を通じてしか濾過フィルタを直接観察することができない。濾過フィルタ上に残った濾過対象物を観察するには、例えば、流体を逆方向から流す逆洗を行い、流入側突出部から排出された流体と濾過対象物との混合物を観察することが考えられる。しかしながら、この場合、濾過対象物の形状が崩れることがある。
【００１２】
これを回避する方法としては、例えば、流入側突出部が設けられた流入側ハウジング部材と、排出側突出部が設けられた排出側ハウジング部材とを分離し、濾過フィルタを内部空間から取り出して観察することが考えられる。しかしながら、この場合、濾過フィルタを取り出す際に濾過フィルタに生じる揺れや意図しない動きにより、濾過対象物が濾過フィルタ上から意図せず無くなる又は減ってしまうことが起こり得る。また、濾過フィルタが薄い金属製多孔膜である場合、当該金属製多孔膜を使用者がハウジング部材の内部空間に直接着脱することは実質的に困難である。
【００１３】
本発明者らは、これらの知見に基づき鋭意検討した結果、濾過フィルタの外周部を保持部材で保持し、当該保持部材に筒状部材を着脱自在に取り付けるように構成することで、濾過対象物をより容易に観察できることを見出した。すなわち、この構成によれば、保持部材に筒状部材を取り付けることで、筒状部材を通じて濾過フィルタに流体を供給し、濾過対象物を濾過することができる。一方、保持部材から筒状部材を取り外すことで、濾過フィルタの外周部を保持部材で保持したまま、濾過フィルタ上に残った濾過対象物を直接観察することが可能になる。このとき、保持部材によって濾過フィルタに張力がかかった状態を維持することができるので、濾過フィルタに揺れや意図しない動きが発生することを抑えることができる。また、濾過フィルタに張力がかかった状態を維持することで、当該濾過フィルタ上に残った濾過対象物を電子顕微鏡等で観察する際、焦点を合わせやすくなる。更に、使用者は、保持部材を持つことにより濾過フィルタを移動させることができるので、取り扱いが容易である。従って、前記構成によれば濾過フィルタ上に残った濾過対象物をより容易に観察（Ｘ線等による分析も含む）することができる。
【００１４】
これらの点を踏まえて、本発明者らは、以下の発明に至った。
【００１５】
本発明の一態様に係る濾過フィルタデバイスは、
流体に含まれる濾過対象物を濾過する濾過フィルタと、
前記濾過フィルタの外周部を保持する保持部材と、
前記流体の流路となる中空部分が前記濾過フィルタの主面の少なくとも一部と対向するように、前記保持部材に取り付けられた筒状部材と、
を備え、
前記筒状部材は、前記保持部材に対して着脱自在に取り付けられている、
ことを特徴とする。
【００１６】
この構成によれば、保持部材から筒状部材を取り外すことで、濾過フィルタの外周部を保持部材で保持したまま、濾過フィルタ上に残った濾過対象物を直接観察することが可能になる。これにより、濾過フィルタ上に残った濾過対象物をより容易に観察することができる。
【００１７】
なお、前記濾過フィルタは、金属製多孔膜を備えることが好ましい。金属製多孔膜を用いることで両主面に凹凸が生じることを抑える又は無くすことができるので、濾過フィルタ上に残った濾過対象物を電子顕微鏡等で観察する際に焦点をより一層合わせやすくなる。
【００１８】
また、前記保持部材は、前記濾過フィルタの外周部をそれらの間で挟持可能な第１枠部材及び第２枠部材を備えることが好ましい。この構成によれば、第１枠部材と第２枠部材との挟持を解除することで、濾過フィルタの交換を容易に行うことができる。
【００１９】
また、前記濾過フィルタは、前記保持部材の厚み方向の中心面に対して当該厚み方向にずれた位置で前記外周部を前記第１枠部材と前記第２枠部材とに挟持されることが好ましい。この構成によれば、例えば、濾過フィルタを保持部材の厚み方向の中心面に対して流体の供給側にずらして配置した場合、当該濾過フィルタ上に残った濾過対象物を電子顕微鏡等で観察する際に焦点を合わせやすくなる。また、例えば、濾過フィルタを保持部材の厚み方向の中心面に対して流体の排出側にずらして配置した場合、保持部材と濾過フィルタとに囲まれた空間の体積を大きくすることができる。これにより、筒状部材を取り外した際に、流体が前記空間から溢れて漏れることを抑えることができ、より確実に濾過フィルタに濾過対象物を濾過させることができる。
【００２０】
また、前記保持部材は、一方又は他方の主面に前記厚み方向に突出する環状の突出部を備え、前記濾過フィルタは、前記突出部の内側に配置されることが好ましい。この構成によれば、濾過フィルタ上に残った濾過対象物を電子顕微鏡等で観察する際に焦点をより一層を合わせやすくなる。また、保持部材と濾過フィルタとに囲まれた空間の体積をより一層大きくすることができ、より確実に濾過フィルタに濾過対象物を濾過させることができる。
【００２１】
また、前記濾過フィルタは、前記環状の突出部の先端部で画定される開口面に対して面一又は略面一になるように配置されることが好ましい。この構成によれば、濾過フィルタ上に残った濾過対象物を電子顕微鏡等で観察する際に焦点をより一層を合わせやすくなる。また、保持部材と濾過フィルタとに囲まれた空間の体積をより一層大きくすることができ、より確実に濾過フィルタに濾過対象物を濾過させることができる。
【００２２】
また、前記濾過フィルタの外周部は、第１曲げ部と第２曲げ部とを有するとともに、前記第１曲げ部と前記第２曲げ部との間に筋状凸部を有するように前記第１枠部材と前記第２枠部材とに挟持されることが好ましい。この構成によれば、濾過フィルタが第１曲げ部と第２曲げ部との間に筋状凸部を有することによって、第１枠部材及び第２枠部材と濾過フィルタの外周部との間の摩擦力を増加させることができる。これにより、部品点数を増やすことなく、濾過フィルタに対する第１枠部材及び第２枠部材の保持力を向上させることができる。
【００２３】
また、前記筋状凸部は、前記第１曲げ部と前記第２曲げ部との間に複数設けられ、複数の前記筋状凸部は、不規則な向きに配置されることが好ましい。この構成によれば、第１枠部材及び第２枠部材と濾過フィルタの外周部との間の摩擦力を増加させることができ、濾過フィルタに対する第１枠部材及び第２枠部材の保持力を一層向上させることができる。
【００２４】
また、前記筒状部材は、前記保持部材の一方の主面側及び他方の主面側の両方に着脱自在に取り付けられることが好ましい。この構成によれば、例えば、一方の筒状部材の中空部分を流体流入路とし、他方の筒状部材の中空部分を流体排出路として機能させることができる。また、流体を逆方向から流して逆洗する際に有利である。また、例えば、濾過フィルタを中心として上下対称に構成することが可能になり、濾過フィルタデバイスとして使用する際にいずれが流体流入路又は流体排出路であるかを注意する必要性を無くすことができる。
【００２５】
また、前記筒状部材は、ルアーロック型コネクタを備えることが好ましい。この構成によれば、例えば、ルアーロック型シリンジに直接取り付けることが可能になり、使い勝手を向上させることができる。
【００２６】
また、前記濾過フィルタデバイスは、互いに着脱自在に取り付けられた複数の前記保持部材を備えることが好ましい。この構成によれば、１つの濾過フィルタデバイスに複数の濾過フィルタを容易に着脱することができ、使い勝手を向上させることができる。例えば、複数の濾過フィルタにより濾過対象物を濾過することができるので、濾過効率を向上させることができる。また、各濾過フィルタの孔径を異ならせることで、異なる大きさの濾過対象物を分級することも可能になる。
【００２７】
また、前記保持部材は、少なくとも３つ以上の枠部材を備え、前記少なくとも３つ以上の枠部材は、互いに隣接する枠部材同士の間で前記濾過フィルタの外周部を挟持可能に構成されることが好ましい。この構成によれば、１つの濾過フィルタデバイスに複数の濾過フィルタを容易に着脱することができ、使い勝手を向上させることができる。また、各濾過フィルタの孔径を異ならせることで、異なる大きさの濾過対象物を分級することも可能になる。
【００２８】
また、前記筒状部材は、雌ねじを備え、前記保持部材は、雄ねじを備え、前記雌ねじと前記雄ねじとが螺合することにより、前記筒状部材が前記保持部材に対して着脱自在に取り付けられることが好ましい。この構成によれば、筒状部材と保持部材とをより容易に着脱することができるとともに、より液漏れを抑えることができる。
【００２９】
また、前記筒状部材は、前記保持部材の一方の主面側及び他方の主面側の両方に着脱自在に取り付けられ、前記保持部材の一方の主面側に取り付けられる筒状部材と前記保持部材の他方の主面側に取り付けられる筒状部材とは、互いに反対方向に回転されることにより、それぞれの前記雌ねじが前記保持部材の一方の主面側に設けられた雄ねじ又は前記保持部材の一方の主面側に設けられた雄ねじと螺合し、前記保持部材に取り付けられることが好ましい。この構成によれば、一方の筒状部材を保持部材から取り外す際に、他方の筒状部材が一緒に回転して保持部材から意図せず取り外されてしまうことを抑えることができる。
【００３０】
また、前記雌ねじ又は前記雄ねじの螺合方向の長さとｔとし、前記雌ねじ又は前記雄ねじのピッチをＰとしたとき、ｔ／Ｐ≧１を満たすことが好ましい。この構成によれば、濾過フィルタに対して１ｋＰａ（キロパスカル）の圧力で純水を流した場合に、雄ねじと雌ねじとの間で液漏れが発生することを抑えることができる。
【００３１】
また、前記雌ねじ又は前記雄ねじの螺合方向の長さとｔとし、前記雌ねじ又は前記雄ねじのピッチをＰとしたとき、ｔ／Ｐ≧２を満たすことが好ましい。濾過フィルタに対して１００ｋＰａの高圧力で純水を流した場合に、雌ねじと雄ねじとの間で液漏れが発生することを抑えることができる。
【００３２】
また、前記雌ねじ又は前記雄ねじのピッチが０．３ｍｍ以上であることが好ましい。この構成によれば、雌ねじと雄ねじとを螺合させる際の作業性を向上させることができる。
【００３３】
また、前記雌ねじ又は前記雄ねじの螺合方向の長さが４．０ｍｍ以下であることが好ましい。この構成によれば、例えば、濾過対象物が細胞である場合に、雌ねじと雄ねじとを螺合させるのに要する時間を短く（例えば、３０秒以内）して、細胞の活性が低下することを抑えることができる。
【００３４】
以下、本発明の実施の形態について、図面を参照しながら説明する。
【００３５】
（実施の形態１）
図１は、本発明の実施の形態１に係る濾過フィルタデバイスの概略構成を示す側面図である。図２は、図１の濾過フィルタデバイスの一部分解斜視図である。図３は、図１の濾過フィルタデバイスの分解断面図である。図４は、図１の濾過フィルタデバイスの組立断面図である。図５は、図４の一部拡大断面図である。
【００３６】
図１及び図２に示すように、本発明の実施の形態１に係る濾過フィルタデバイスは、保持部材１と、保持部材１の一方の主面１ａ側に着脱自在に取り付けられる筒状部材２と、保持部材１の他方の主面１ｂ側に着脱自在に取り付けられる筒状部材３とを備えている。
【００３７】
保持部材１は、図３〜図５に示すように、流体に含まれる濾過対象物を濾過する濾過フィルタ４の外周部４Ａを保持するように構成されている。本実施の形態１において、保持部材１は、第１枠部材１１と、第２枠部材１２とを備えている。第１枠部材１１と第２枠部材１２とは、それらの間で濾過フィルタ４の外周部４Ａを挟持可能に構成されている。
【００３８】
より具体的には、第１枠部材１１は、環状の平板部１１ａと、中央の貫通穴１１ｂの周囲の部分が筒状部材２側に突出する環状の突出部１１ｃとを備えている。平板部１１ａの直径は、例えば１８ｍｍである。平板部１１ａの厚さは、例えば１．５ｍｍである。突出部１１ｃの高さは、例えば１．５ｍｍである。
【００３９】
環状の突出部１１ｃの内面には、貫通穴１１ｂの中央側に突出する環状のフランジ部１１ｄが形成されている。フランジ部１１ｄは、例えば、突出部１１ｃの頂部から０．１ｍｍだけ平板部１１ａ側に離れた位置に設けられている。フランジ部１１ｄは、筒状部材３側に傾斜面１１ｅが形成されるように、貫通穴１１ｂの中央側の先端部１１ｆの厚みが薄く形成されている。フランジ部１１ｄの突出部１１ｃ側の厚みは、例えば０．３ｍｍである。フランジ部１１ｄの先端部１１ｆの厚みは、例えば０．２ｍｍである。傾斜面１１ｅの傾斜角度は、例えば４５度である。
【００４０】
第２枠部材１２は、環状の平板部１２ａと、中央の貫通穴１２ｂの周囲の部分が筒状部材２側に突出する環状の突出部１２ｃと、中央の貫通穴１２ｂの周囲の部分が筒状部材３側に突出する環状の突出部１２ｄを備えている。平板部１２ａの直径は、例えば１８ｍｍである。平板部１２ａの厚さは、例えば１．５ｍｍである。突出部１２ｄの高さは、例えば１．５ｍｍである。
【００４１】
突出部１２ｃは、第１枠部材１１の貫通穴１１ｂに挿入できるように、当該貫通穴１１ｂの直径よりもやや小さい外径を有している。突出部１２ｃの先端部１２ｆは、フランジ部１１ｄの筒状部材３側の形状に対応するように形成されている。すなわち、先端部１２ｆには、傾斜面１１ｅに対応する傾斜面１２ｅが形成されている。
【００４２】
濾過フィルタ４は、図４に示すように、第１枠部材１１のフランジ部１１ｄと第２枠部材１２の突出部１２ｃの先端部１２ｆとの間で、傾斜面１１ｅ及び傾斜面１２ｅに沿うように外周部４Ａを挟持されることにより、面方向に張力を有する状態で保持される。また、濾過フィルタ４は、保持部材１の厚み方向の中心面Ｓ１に対して当該厚み方向にずれた位置で外周部４Ａを挟持されている。本実施の形態１において、濾過フィルタ４は、環状の突出部１１ｃの内側に配置されている。また、濾過フィルタ４は、環状の突出部１１ｃの先端部で画定される開口面Ｓ２に対して略面一になるように配置されている。
【００４３】
第１枠部材１１の平板部１１ａには、図３に示すように、厚み方向に貫通する複数の貫通孔１１ｇが設けられている。複数の貫通孔１１ｇは、平板部１１ａの周方向に一定間隔で設けられている。同様に、第２枠部材１２の平板部１２ａには、厚み方向に貫通する複数の貫通孔１２ｇが設けられている。複数の貫通孔１２ｇは、複数の貫通孔１１ｇに対応するように、平板部１２ａの周方向に一定間隔で設けられている。第１枠部材１１の貫通穴１１ｂに第２枠部材１２の突出部１２ｃが挿入された状態で、各貫通孔１１ｇ，１２ｇにネジなどの締結部材（図示せず）が挿入されることで、第１枠部材１１と第２枠部材１２とが互いに固定される。
【００４４】
筒状部材２は、第１枠部材１１の突出部１１ｃに嵌合可能な嵌合部２ａを備えている。筒状部材２は、第１枠部材１１の突出部１１ｃの外周面に嵌合部２ａが嵌合することにより、第１枠部材１１に着脱自在に取り付けられる。筒状部材２には、流体の流路となる中空部分２ｂが形成されている。筒状部材２は、当該中空部分２ｂが濾過フィルタ４の主面の少なくとも一部と対向するように第１枠部材１１に取り付けられる。これにより、中空部分２ｂを流体流入路として濾過フィルタ４に流体を供給することができる。或いは、中空部分２ｂを流体排出路として濾過フィルタ４を通過した流体を排出することができる。
【００４５】
また、筒状部材２は、ルアーロック型コネクタ２ｃを備えている。ルアーロック型コネクタ２ｃは、例えば、ＩＳＯ５９４−２等の規格に準拠する形態を有するものである。本実施の形態１において、コネクタ２ｃは、筒状部材２の先端部に外方へ突出するように設けられた環状の突出部で構成されている。筒状部材２は、例えば、ルアーロック型シリンジの中空先端部の内周面に形成された螺旋状の溝（図示せず）に沿ってコネクタ２ｃがねじ込まれることにより、当該シリンジに取り付けられる。
【００４６】
本実施の形態１において、筒状部材３は、筒状部材２と同じ構造を有している。具体的には、筒状部材３は、第２枠部材１２の突出部１２ｄに嵌合可能な嵌合部３ａを備えている。筒状部材３は、第２枠部材１２の突出部１２ｄの外周面に嵌合部３ａが嵌合することにより、第２枠部材１２に着脱自在に取り付けられる。筒状部材３には、流体の流路となる中空部分３ｂが形成されている。筒状部材３は、当該中空部分３ｂが濾過フィルタ４の主面の少なくとも一部と対向するように第２枠部材１２に取り付けられる。これにより、中空部分３ｂを流体流入路として濾過フィルタ４に流体を供給することができる。或いは、中空部分３ｂを流体排出路として濾過フィルタ４を通過した流体を排出することができる。
【００４７】
また、筒状部材３は、ルアーロック型コネクタ３ｃを備えている。ルアーロック型コネクタ３ｃは、例えば、ＩＳＯ５９４−２等の規格に準拠する形態を有するものである。本実施の形態１において、コネクタ３ｃは、筒状部材３の先端部に外方へ突出するように設けられた環状の突出部で構成されている。筒状部材３は、例えば、ルアーロック型シリンジの中空先端部の内周面に形成された螺旋状の溝（図示せず）に沿ってコネクタ３ｃがねじ込まれることにより、当該シリンジに取り付けられる。
【００４８】
第１枠部材１１、第２枠部材１２、及び筒状部材２，３の材料としては、例えば、ジュラルミン、アルミニウムなどの金属や、ポリエチレン、ポリスチレン、ポリプロピレン、ポリカーボネート、ポリアセタール、ポリエーテルイミド、などの樹脂が挙げられる。
【００４９】
本実施の形態１において、濾過対象物は、液体に含まれる生物由来物質である。本明細書において、「生物由来物質」とは、細胞（真核生物）、細菌（真性細菌）、ウィルス等の生物に由来する物質を意味する。細胞（真核生物）としては、例えば、卵、精子、人工多能性幹細胞（ｉＰＳ細胞）、ＥＳ細胞、幹細胞、間葉系幹細胞、単核球細胞、単細胞、細胞塊、浮遊性細胞、接着性細胞、神経細胞、白血球、リンパ球、再生医療用細胞、自己細胞、がん細胞、血中循環がん細胞（ＣＴＣ）、ＨＬ−６０、ＨＥＬＡ、菌類を含む。細菌（真性細菌）としては、例えば、大腸菌、結核菌を含む。
【００５０】
図６は、濾過フィルタ４の概略構成を示す一部拡大斜視図である。図６に示すように、濾過フィルタ４は、流体に含まれる濾過対象物を濾過する金属製多孔膜４１を備えている。
【００５１】
金属製多孔膜４１は、図６に示すように、互いに対向する一対の主面４１ａ，４１ｂを有している。金属製多孔膜４１には、両主面４１ａ，４１ｂを貫通する複数の貫通孔４１ｃが設けられている。貫通孔４１ｃは、液体から生物由来物質を分離するものである。貫通孔４１ｃの形状及び寸法は、生物由来物質の形状、大きさに応じて適宜設定されるものである。貫通孔４１ｃは、例えば、等間隔又は周期的に配置される。貫通孔４１ｃの形状は、例えば、金属製多孔膜４１の主面４１ａ側から見て正方形である。本実施の形態１において、貫通孔４１ｃは、正方格子状に配列されている。貫通孔４１ｃのサイズは、例えば、縦０．１μｍ以上５００μｍ以下、横０．１μｍ以上５００μｍ以下である。貫通孔４１ｃ間の間隔は、例えば、貫通孔４１ｃの開口径の１倍よりも大きく１０倍以下であり、より好ましくは３倍以下である。また、金属製多孔膜４１における貫通孔４１ｃの開口率は、例えば、１０％以上である。
【００５２】
金属製多孔膜４１の材料としては、例えば、金、銀、銅、白金、ニッケル、ステンレス鋼、パラジウム、チタン、コバルト、これらの合金、及びこれらの酸化物が挙げられる。金属製多孔膜４１の寸法は、例えば、直径６ｍｍ、厚さ０．１μｍ以上１００μｍ以下であり、好ましくは、０．１μｍ以上５０μｍ以下である。金属製多孔膜４１の外形は、例えば、円形、楕円形、又は多角形のいずれかである。本実施の形態１においては、金属製多孔膜４１の外形は、円形とする。金属製多孔膜４１の外周部には、貫通孔４１ｃが設けられても、貫通孔４１ｃが設けられなくてもよい。
【００５３】
本実施の形態１によれば、濾過フィルタ４の外周部４Ａを保持部材１で保持し、当該保持部材１に筒状部材２，３を着脱自在に取り付けるように構成している。この構成によれば、保持部材１に筒状部材２，３を取り付けることで、筒状部材２，３を通じて濾過フィルタ４に流体を供給し、濾過対象物を濾過することができる。一方、保持部材１から筒状部材２，３を取り外すことで、濾過フィルタ４の外周部４Ａを保持部材１で保持したまま、濾過フィルタ４上に残った濾過対象物を直接観察することが可能になる。このとき、保持部材１によって濾過フィルタ４に張力がかかった状態を維持することができるので、濾過フィルタ４に揺れや意図しない動きが発生することを抑えることができる。また、濾過フィルタ４に張力がかかった状態を維持することで、当該濾過フィルタ４上に残った濾過対象物を電子顕微鏡等で観察する際、焦点を合わせやすくなる。更に、使用者は、保持部材１を持つことにより濾過フィルタ４を移動させることができるので、取り扱いが容易である。従って、前記構成によれば濾過フィルタ４上に残った濾過対象物をより容易に観察することができる。
【００５４】
また、本実施の形態１によれば、濾過フィルタ４が金属製多孔膜４１を備えている。金属製多孔膜４１を用いることで両主面に凹凸が生じることを抑える又は無くすことができるので、濾過フィルタ４上に残った濾過対象物を電子顕微鏡等で観察する際に焦点をより一層合わせやすくなる。
【００５５】
また、本実施の形態１によれば、保持部材１が、濾過フィルタ４の外周部４Ａをそれらの間で挟持可能な第１枠部材１１及び第２枠部材１２を備えている。この構成によれば、第１枠部材１１と第２枠部材１２との挟持を解除することで、濾過フィルタ４の交換を容易に行うことができる。
【００５６】
また、本実施の形態１によれば、濾過フィルタ４が保持部材１の厚み方向の中心面Ｓ１に対して当該厚み方向にずれた位置で外周部４Ａを第１枠部材１１と第２枠部材１２とに挟持されている。より具体的には、保持部材１が一方の主面１ａに厚み方向に突出する環状の突出部１１ｃを備え、濾過フィルタ４が突出部１１ｃの内側に配置されている。この構成によれば、例えば、筒状部材２の中空部分２ｂを流体流入路として用いる場合、濾過フィルタ４が流体の供給側にずれて位置することになるので、濾過フィルタ４上に残った濾過対象物を電子顕微鏡等で観察する際に焦点を合わせやすくなる。また、例えば、筒状部材２の中空部分２ｂを流体排出路として用いる場合、濾過フィルタ４が流体の排出側にずれて位置することになるので、保持部材１と濾過フィルタ４とに囲まれた空間の体積を大きくすることができる。これにより、筒状部材２を取り外した際に、流体が前記空間から溢れて漏れることを抑えることができ、より確実に濾過フィルタ４に濾過対象物を濾過させることができる。なお、濾過フィルタ４は、保持部材１の厚み方向の中心面Ｓ１よりも一方の主面１ａ又は他方の主面１ｂに近い位置で外周部４Ａを第１枠部材１１と第２枠部材１２とに挟持されることがより好ましい。
【００５７】
また、本実施の形態１によれば、濾過フィルタ４が環状の突出部１１ｃの先端部で画定される開口面Ｓ２に対して略面一になるように配置されている。この構成によれば、濾過フィルタ４上に残った濾過対象物を電子顕微鏡等で観察する際に焦点をより一層を合わせやすくなる。また、保持部材１と濾過フィルタ４とに囲まれた空間の体積をより一層大きくすることができ、より確実に濾過フィルタ４に濾過対象物を濾過させることができる。なお、濾過フィルタ４は開口面Ｓ２に対して面一になるように配置されてもよい。この場合でも同様の効果を得ることができる。
【００５８】
また、本実施の形態１によれば、筒状部材３が保持部材１の他方の主面１ｂ側に着脱自在に取り付けられている。この構成によれば、例えば、筒状部材２の中空部分２ｂを流体流入路とし、筒状部材３の中空部分３ｂを流体排出路として機能させることができる。また、流体を逆方向から流して逆洗する際に有利である。また、例えば、濾過フィルタ４を中心として上下対称に構成することが可能になり、濾過フィルタデバイスとして使用する際にいずれが流体流入路又は流体排出路であるかを注意する必要性を無くすことができる。
【００５９】
また、本実施の形態１によれば、筒状部材２，３がルアーロック型コネクタ２ｃ，３ｃを備えている。この構成によれば、例えば、ルアーロック型シリンジに直接取り付けることが可能になり、使い勝手を向上させることができる。
【００６０】
なお、本実施の形態１では、図５に示すように、濾過フィルタ４の外周部４Ａが第１曲げ部４ａと第２曲げ部４ｂとを有するように、第１枠部材１１の傾斜面１１ｅと第２枠部材１２の傾斜面１２ｅとにより濾過フィルタ４の外周部４Ａを挟持している。このとき、濾過フィルタ４の外周部４Ａは、図７に示すように、第１曲げ部４ａと第２曲げ部４ｂとの間に筋状凸部４ｃを有するように挟持されることが好ましい。この構成によれば、筋状凸部４ｃによって、第１枠部材１１及び第２枠部材１２と濾過フィルタ４の外周部４Ａとの間の摩擦力を増加させることができる。これにより、部品点数を増やすことなく、濾過フィルタ４に対する第１枠部材１１及び第２枠部材１２の保持力を向上させることができる。なお、筋状凸部４ｃとは、濾過フィルタ４の厚みの０．１倍〜２倍の高さをもって濾過フィルタ４の一方の主面が突出している部位をいう。
【００６１】
また、筋状凸部４ｃは、図７に示すように、第１曲げ部４ａと第２曲げ部４ｂとの間に複数設けられ、複数の筋状凸部４ｃは、不規則な向きに配置されることが好ましい。この構成によれば、第１枠部材１１及び第２枠部材１２と濾過フィルタ４の外周部４Ａとの間の摩擦力を増加させることができ、濾過フィルタ４に対する第１枠部材１１及び第２枠部材１２の保持力を一層向上させることができる。
【００６２】
なお、筋状凸部４ｃは、金属製多孔膜４１のしわにより形成されてもよい。ここで、「しわ」とは、金属製多孔膜４１がたるんだり、縮んだりしてできる細かい筋目をいう。この場合、金属製多孔膜４１自体で筋状凸部４ｃを構成することができ、筋状凸部４ｃとなる部材を別途設ける必要性を無くすことができる。
【００６３】
なお、本発明は前記実施の形態に限定されるものではなく、その他種々の態様で実施できる。例えば、前記では、濾過対象物が液体に含まれる生物由来物質であるとしたが、本発明はこれに限定されない。濾過対象物は、気体に含まれる物質であってもよい。すなわち、濾過対象物は、流体に含まれる物質であればよく、例えば、空気中に含まれるＰＭ２．５であってもよい。
【００６４】
また、前記では、濾過フィルタ４は、液体から生物由来物質を濾過するために使用されるものとしたが、本発明はこれに限定されない。例えば、濾過フィルタ４は、液体を濃縮するために使用されてもよい。なお、濾過フィルタ４は、濾過フィルタ４上に残った濾過対象物をより容易に観察することができるので、細胞の培養フィルタとして特に有用である。
【００６５】
また、前記では、第１枠部材１１と第２枠部材１２とは、ネジなどの締結部材により互いに固定されるものとしたが、本発明はこれに限定されない。例えば、締結部材を用いずに、第１枠部材１１と第２枠部材１２とが互いに嵌合することで固定されるように構成されてもよい。
【００６６】
また、前記では、筒状部材２と筒状部材３とは、同じ構造を有するものとしたが、本発明はこれに限定されない。筒状部材２と筒状部材３とは、異なる構造を有してもよい。
【００６７】
また、前記では、筒状部材２が保持部材１の一方の主面１ａ側に着脱自在に取り付けられるものとしたが、本発明はこれに限定されない。例えば、筒状部材２は、保持部材１の側面に着脱自在に取り付けられてもよい。
【００６８】
また、前記では、筒状部材３が保持部材１の他方の主面１ｂ側に着脱自在に取り付けられるものとしたが、本発明はこれに限定されない。例えば、筒状部材３は、保持部材１の側面に着脱自在に取り付けられてもよい。
【００６９】
また、前記では、筒状部材２の嵌合部２ａが第１枠部材１１の突出部１１ｃに嵌合することで、筒状部材２が第１枠部材１１に取り付けられるものとしたが、本発明はこれに限定されない。筒状部材２が第１枠部材１１に着脱自在に取り付けられる構造であればよく、その形態は問わない。例えば、第１枠部材１１に係止爪（例えば、フック状の爪部）を設けるとともに、筒状部材２に受け部（例えば、フック状の爪部が係合可能な孔部）を設け、係止爪と受け部とが嵌合するように構成してもよい。
【００７０】
また、例えば、筒状部材２の嵌合部２ａに雌ねじを設けるとともに、第１枠部材１１の突出部１１ｃに雄ねじを設け、当該雌ねじと雄ねじとが螺合するように構成してもよい。この構成によれば、筒状部材２と保持部材１とをより容易に着脱することができるとともに、より液漏れを抑えることができる。なお、この場合、筒状部材２のコネクタ２ｃがルアーロック型シリンジに取り付けられる際に付与される回転力によって、筒状部材２の雌ねじと第１枠部材１１の雄ねじとの螺合が外れないように構成することが好ましい。例えば、筒状部材２の嵌合部２ａの内径をコネクタ２ｃの外径よりも大きくすることが好ましい。また、筒状部材２の雌ねじと第１枠部材１１の雄ねじとの間の摩擦力が、筒状部材２のコネクタ２ｃとルアーロック型シリンジとの間の摩擦力よりも大きくなるように、材質、表面粗さ等を設定することが好ましい。
【００７１】
同様に、前記では、筒状部材３の嵌合部３ａが第２枠部材１２の突出部１２ｄに嵌合することで、筒状部材３が第２枠部材１２に取り付けられるものとしたが、本発明はこれに限定されない。筒状部材３が第２枠部材１２に着脱自在に取り付けられる構造であればよく、その形態は問わない。例えば、第２枠部材１２に係止爪（例えば、フック状の爪部）を設けるとともに、筒状部材３に受け部（例えば、フック状の爪部が係合可能な孔部）を設け、係止爪と受け部とが嵌合するように構成してもよい。
【００７２】
また、例えば、筒状部材３の嵌合部３ａに雌ねじを設けるとともに、第２枠部材１２の突出部１２ｄに雄ねじを設け、当該雌ねじと雄ねじとが螺合するように構成してもよい。この構成によれば、筒状部材３と保持部材１とをより容易に着脱することができるとともに、より液漏れを抑えることができる。なお、この場合、筒状部材３のコネクタ３ｃがルアーロック型シリンジに取り付けられる際に付与される回転力によって、筒状部材３の雌ねじと第２枠部材１２の雄ねじとの螺合が外れないように構成することが好ましい。例えば、筒状部材３の嵌合部３ａの内径をコネクタ３ｃの外径よりも大きくすることが好ましい。また、筒状部材３の雌ねじと第２枠部材１２の雄ねじとの間の摩擦力が、筒状部材３のコネクタ３ｃとルアーロック型シリンジとの間の摩擦力よりも大きくなるように、材質、表面粗さ等を設定することが好ましい。
【００７３】
また、筒状部材２と筒状部材３とは、互いに反対方向に回転されることにより、それぞれの雌ねじが第１枠部材１１の突出部１１ｃ又は第２枠部材１２の突出部１２ｃに設けられた雄ねじと螺合し、保持部材１に取り付けられることが好ましい。この構成によれば、例えば、筒状部材２を保持部材１から取り外す際に、筒状部材３が一緒に回転して保持部材１から意図せず取り外されてしまうことを抑えることができる。  
【００７４】
次に、筒状部材２，３の雌ねじ及び保持部材１の雄ねじの好ましい螺合方向の長さ、ピッチ、巻数について説明する。
【００７５】
下記表１は、互いに螺合する雌ねじ及び雄ねじの螺合方向の長さ及びピッチを変えて作製した２０個のサンプルに対して、液漏れ、作業性、作業時間の評価を行った結果を示している。下記表１において、「番号」とは、サンプルの番号を意味する。「直径」とは、ねじ山の外径を意味する。「長さｔ」とは、螺合方向の長さを意味する。「ピッチＰ」とは、螺合方向におけるねじ山の頂部又はねじ溝の底部の間隔を意味する。「直径」、「長さｔ」、「ピッチＰ」の単位はミリメートルである。「巻数Ｎ」とは、ねじ山の巻数（すなわち、Ｎ＝ｔ／Ｐ）を意味する。「液漏れ(1kpa)」に、濾過フィルタに対して１ｋＰａ（キロパスカル）の圧力で純水を流した場合に、雄ねじと雌ねじとの間で許容範囲を超える液漏れが発生したか否かの評価結果を示している。「液漏れ(100kpa)」には、濾過フィルタに対して１００ｋＰａの高圧力で純水を流した場合に、雄ねじと雌ねじとの間で許容範囲を超える液漏が発生したか否かの評価結果を示している。「作業性」には、雌ねじと雄ねじとを螺合させる際の螺合の容易性の評価結果を示している。「作業時間」には、濾過対象物が細胞である場合を想定し、グローブボックス内で雌ねじと雄ねじとを手作業で螺合させるのに要する時間が、細胞の活性が許容範囲を超えて低下する時間（例えば、３０秒）か否かの評価結果を示している。
【００７６】
【表１】
2017191768.tif 000003
【００７７】
表１に示すように、巻数Ｎが１未満であるサンプル４〜６においては、濾過フィルタに対して１ｋＰａの圧力で純水を流した場合に、雄ねじと雌ねじとの間で許容範囲を超える液漏れが発生した。また、巻数Ｎが２未満であるサンプル３〜６，１２〜１４においては、濾過フィルタに対して１００Ｐａの高圧力で純水を流した場合に、雄ねじと雌ねじとの間で許容範囲を超える液漏れが発生した。従って、Ｎ（＝ｔ／Ｐ）≧１を満たすことが好ましく、Ｎ（＝ｔ／Ｐ）≧２を満たすことがより好ましい。これにより、雄ねじと雌ねじとの間で許容範囲を超える液漏れが発生することを抑えることができる。
【００７８】
また、表１に示すように、ピッチＰが０．２ｍｍであるサンプル７，１５においては、雌ねじと雄ねじとを螺合させることが困難であった。従って、ピッチＰは０．３ｍｍ以上であることが好ましい。これにより、雌ねじと雄ねじとを螺合させる際の作業性を向上させることができる。
【００７９】
また、表１に示すように、長さｔが５．０ｍｍであるサンプル１９，２０においては、グローブボックス内で雌ねじと雄ねじとを手作業で螺合させるのに要する時間が、細胞の活性が許容範囲を超えて低下する時間を超えた。従って、長さｔは４．０ｍｍ以下であることが好ましい。これにより、雌ねじと雄ねじとを螺合させる作業時間を短くして、細胞の活性が低下することを抑えることができる。
【００８０】
なお、長さｔが４．０ｍｍ以下であっても、ピッチＰが０．３ｍｍ未満である場合には、雌ネジと雄ネジとを螺合する作業性が低下するため、想定よりも作業時間が長くなる。このため、サンプル７，１６では、長さｔが４．０ｍｍ以下であるが、ピッチＰが０．３ｍｍ未満であるので、「不合格」と評価している。
【００８１】
下記表２は、互いに螺合する雌ねじ及び雄ねじの直径、螺合方向の長さ、及びピッチを変えて作製した８個のサンプルに対して、液漏れ、作業性、作業時間の評価を行った結果を示している。
【００８２】
【表２】
2017191768.tif 000004
【００８３】
表２に示すように、表１のサンプル１〜２０とは直径を異ならせたサンプル２１〜２８に対しても、液漏れ、作業性、及び作業時間に関して同様の評価結果が得られた。すなわち、雌ねじ及び雄ねじの好ましい螺合方向の長さ、ピッチ、巻数に対して、直径は影響しないことを確認した。
【００８４】
なお、表１及び表２に示すサンプル１〜２８において、雌ねじ及び雄ねじの材質は、ＰＯＭ（ポリアセタール）としている。これに対し、雌ねじ及び雄ねじの材質のみをアクリルに変えてサンプル１〜２８と同様のサンプルを作製したところ、液漏れ、作業性、及び作業時間に関して同様の評価結果が得られた。すなわち、雌ねじ及び雄ねじの好ましい螺合方向の長さ、ピッチ、巻数に対して、材質は影響しないことを確認した。
【００８５】
（実施の形態２）
図８は、本発明の実施の形態２に係る濾過フィルタデバイスの概略構成を示す側面図である。図９は、図８の濾過フィルタデバイスの一部分解斜視図である。
【００８６】
本実施の形態２に係る濾過フィルタデバイスが前記実施の形態１に係る濾過フィルタデバイスと異なる点は、２つの保持部材１，１を備えるように構成されている点である。なお、前記実施の形態１で説明した部品と同一又は類似の部品については、同じ符号を付し、重複する説明は省略する。
【００８７】
２つの保持部材１，１は、互いに着脱自在に取り付けられるように構成されている。本実施の形態２において、第２枠部材１２は、隣接する保持部材１の第１枠部材１１の突出部１１ｃ及び筒状部材３に設けられた突出部３ｄと着脱自在に嵌合するように構成されている。
【００８８】
本実施の形態２によれば、着脱自在な２つの保持部材１，１を備えるので、１つの濾過フィルタデバイスに２つの濾過フィルタ４を容易に着脱することができ、使い勝手を向上させることができる。例えば、２つの濾過フィルタ４により濾過対象物を濾過することができるので、濾過効率を向上させることができる。また、各保持部材１が保持する濾過フィルタ４の孔径を異ならせることで、異なる大きさの濾過対象物を分級することも可能になる。
【００８９】
なお、本実施の形態２では、濾過フィルタデバイスが２つの保持部材１，１を備えるものとしたが、本発明はこれに限定されない。濾過フィルタデバイスは、３つ以上の保持部材１を備えるように構成されてもよい。濾過対象物に応じて保持部材１の個数及び順序、並びに濾過フィルタ４の種類（孔経、開口率、材質等）を任意に変えられるように構成することで、使い勝手を大幅に向上させることができる。
【００９０】
（実施の形態３）
図１０は、本発明の実施の形態３に係る濾過フィルタデバイスの概略構成を示す側面図である。図１１は、図１０の濾過フィルタデバイスが備える保持部材の斜視図である。図１２は、図１１の保持部材の分解断面図である。
【００９１】
本実施の形態３に係る濾過フィルタデバイスが前記実施の形態１に係る濾過フィルタデバイスと異なる点は、第１枠部材１１と第２枠部材１２との間に第３枠部材１３を保持部材１が備えるように構成されている点である。なお、前記実施の形態１で説明した部品と同一又は類似の部品については、同じ符号を付し、重複する説明は省略する。
【００９２】
第３枠部材１３は、図１１又は図１２に示すように、環状の平板部１３ａと、中央の貫通穴１３ｂの周囲の部分が一方の第１枠部材１１側に突出する環状の突出部１３ｃとを備えている。平板部１３ａの直径は、例えば１８ｍｍである。平板部１３ａの厚さは、例えば２．５ｍｍである。突出部１３ｃの高さは、例えば１．５ｍｍである。
【００９３】
突出部１３ｃは、第２枠部材１２の突出部１２ｃと同じ構造を有している。すなわち、突出部１３ｃは、第１枠部材１１の貫通穴１１ｂに挿入できるように、当該貫通穴１１ｂの直径よりもやや小さい外径を有している。突出部１３ｃの先端部１３ｆは、フランジ部１１ｄの第２枠部材１２側の形状に対応するように形成されている。すなわち、先端部１３ｆには、傾斜面１１ｅに対応する傾斜面１３ｅが形成されている。
【００９４】
濾過フィルタ４は、第１枠部材１１のフランジ部１１ｄと第３枠部材１３の突出部１３ｃの先端部１３ｆとの間で、傾斜面１１ｅ及び傾斜面１３ｅに沿うように外周部４Ａを挟持されることにより、面方向に張力を有する状態で保持される。
【００９５】
また、第３枠部材１３は、第１枠部材１１の貫通穴１１ｂと同じ直径を有するように中央の貫通穴１３ｂが拡大された拡径部１３ｈを備えている。拡径部１３ｈには、第２枠部材１２の先端部１２ｆの形状に対応する段差部１３ｉが形成されている。
【００９６】
濾過フィルタ４は、第３枠部材１３の段差部１３ｉと第２枠部材１２の突出部１２ｃの先端部１２ｆとの間で、傾斜面１２ｅに沿うように外周部４Ａを挟持されることにより、面方向に張力を有する状態で保持される。
【００９７】
第３枠部材１３の平板部１３ａには、図１２に示すように、厚み方向に貫通する複数の貫通孔１３ｇが設けられている。複数の貫通孔１３ｇは、貫通孔１１ｇ，１２ｇに対応するように、平板部１３ａの周方向に一定間隔で設けられている。第１枠部材１１の貫通穴１１ｂに第３枠部材１３の突出部１３ｃの先端部１３ｆが挿入されるとともに、第３枠部材１３の拡径部１３ｈに第２枠部材１２の突出部１２ｃの先端部１２ｆが挿入される。この状態で、各貫通孔１１ｇ，１３ｇ，１２ｇにネジなどの締結部材（図示せず）が挿入されることで、第１枠部材１１と第３枠部材１３と第２枠部材１２とが互いに固定される。
【００９８】
第３枠部材１３の材料としては、例えば、ジュラルミン、アルミニウムなどの金属や、ポリエチレン、ポリスチレン、ポリプロピレン、ポリカーボネート、ポリアセタール、ポリエーテルイミド、などの樹脂が挙げられる。
【００９９】
本実施の形態３によれば、保持部材１が、第１枠部材１１、第２枠部材１２、及び第３枠部材１３の３つの枠部材を備え、互いに隣接する枠部材同士の間で濾過フィルタ４の外周部４Ａを挟持可能に構成されている。この構成によれば、１つの濾過フィルタデバイスに２枚の濾過フィルタ４を容易に着脱することができ、使い勝手を向上させることができる。例えば、２つの濾過フィルタ４により濾過対象物を濾過することができるので、濾過効率を向上させることができる。また、２つの濾過フィルタ４の孔径を異ならせることで、異なる大きさの濾過対象物を分級することも可能になる。
【０１００】
なお、本実施の形態３では、第１枠部材１１と第３枠部材１３との間、及び第３枠部材１３と第２枠部材１２との間のそれぞれに濾過フィルタ４を設けるようにしたが、本発明はこれに限定されない。第１枠部材１１と第３枠部材１３との間、及び第３枠部材１３と第２枠部材１２との間のいずれか一方のみに濾過フィルタ４を設けてもよい。例えば、第３枠部材１３と第２枠部材１２との間にのみ濾過フィルタ４を設けた場合、当該濾過フィルタ４と筒状部材２との間の空間の体積を大きくすることができる。これにより、筒状部材２を取り外した際に、流体が前記空間から溢れて漏れることを抑えることができる。言い換えれば、第３枠部材１３の貫通穴１３ｂを、流体を一時蓄積するバッファとして機能させることができる。これにより、より確実に濾過フィルタ４に濾過対象物を濾過させることができる。
【０１０１】
また、本実施の形態３では、保持部材１が、第１枠部材１１、第２枠部材１２、及び第３枠部材１３の３つの枠部材を備え、互いに隣接する枠部材同士の間で濾過フィルタ４の外周部４Ａを挟持可能に構成されるものとしたが、本発明はこれに限定されない。保持部材１は、４つ以上の枠部材を備え、互いに隣接する枠部材同士の間で濾過フィルタ４の外周部４Ａを挟持可能に構成されてもよい。
【０１０２】
なお、前記様々な実施形態のうちの任意の実施形態を適宜組み合わせることにより、それぞれの有する効果を奏するようにすることができる。
【０１０３】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【０１０４】
本発明は、濾過フィルタ上に残った濾過対象物をより容易に観察することができるので、生物由来物質やＰＭ２．５などの流体に含まれる濾過対象物を濾過する濾過フィルタデバイスに有用である。
【符号の説明】
【０１０５】
１    保持部材
１ａ  一方の主面
１ｂ  他方の主面
２    筒状部材
２ａ  嵌合部
２ｂ  中空部分
２ｃ  コネクタ（ルアーロック型コネクタ）
３    筒状部材
３ａ  嵌合部
３ｂ  中空部分
３ｃ  コネクタ（ルアーロック型コネクタ）
４    濾過フィルタ
４Ａ  外周部
４ａ  第１曲げ部
４ｂ  第２曲げ部
４ｃ  筋状凸部
１１    第１枠部材
１１ａ  平板部
１１ｂ  貫通穴
１１ｃ  突出部
１１ｄ  フランジ部
１１ｅ  傾斜面
１１ｆ  先端部
１１ｇ  貫通孔
１２    第２枠部材
１２ａ  平板部
１２ｂ  貫通穴
１２ｃ  突出部
１２ｄ  突出部
１２ｅ  傾斜面
１２ｆ  先端部
１２ｇ  貫通孔
１３    第３枠部材
１３ａ  平板部
１３ｂ  貫通穴
１３ｃ  突出部
１３ｅ  傾斜面
１３ｆ  先端部
１３ｇ  貫通孔
１３ｈ  拡径部
１３ｉ  段差部
４１    金属製多孔膜
４１ａ，４１ｂ  主面
４１ｃ  貫通孔
【図１】
2017191768.tif 000005
【図２】
2017191768.tif 000006
【図３】
2017191768.tif 000007
【図４】
2017191768.tif 000008
【図５】
2017191768.tif 000009
【図６】
2017191768.tif 000010
【図７】
2017191768.tif 000011
【図８】
2017191768.tif 000012
【図９】
2017191768.tif 000013
【図１０】
2017191768.tif 000014
【図１１】
2017191768.tif 000015
【図１２】
2017191768.tif 000016
【国際調査報告】
2017191768.tif 000017
2017191768.tif 000018
2017191768.tif 000019
2017191768.tif 000020